(57)【要約】      （修正有）【課題】反転という方法で外層にある布面を変更することにより、布体構造をそのまま支持スタンドに接続することができる反転式布体構造を提供する。【解決手段】支持スタンドに設置され、少なくとも２つの布体を有する反転式布体構造であって、各布体は、同じ大きさの四辺形であり、２つの布面を有し、かつ互いに重なり合っており、その中の１組の対辺をそれぞれ第１結合辺Ｌ１及び第２結合辺Ｌ２になるように結合して、隣接する２つの布体の間にそれぞれ通路Ｔ１、Ｔ２を形成し、他の１組の対辺がそれぞれ通路入口縁Ｌ３及び通路出口縁Ｌ４に定義される。第１結合辺及び第２結合辺と支持スタンドとを分離状態にし、第１結合辺及び第２結合辺を通路入口縁に向かって反転させ、同一の通路に通り抜けて通路出口縁から出すことにより、通路の内面である隣接する２つの布面がそれぞれ外に反転され、第１結合辺及び第２結合辺と支持スタンドとを接続状態にすると、少なくとも２つの布体が支持スタンドに平らに設置される。【選択図】図６
0003230439.tif 000002
【実用新案登録請求の範囲】
【請求項１】
支持スタンドに設置され、少なくとも２つの布体を有する反転式布体構造であって、
各前記布体は、それぞれ、同じ大きさの四辺形であり、２つの布面を有し、かつ互いに重なり合っており、その中の１組の対辺をそれぞれ第１結合辺及び第２結合辺になるように結合することで、隣接する２つの前記布体の間にそれぞれ通路が形成され、他の１組の対辺がそれぞれ通路入口縁及び通路出口縁に定義され、
前記第１結合辺及び前記第２結合辺と前記支持スタンドとを分離状態にし、前記第１結合辺及び前記第２結合辺を前記通路入口縁に向かって反転させ、同一の前記通路に通り抜けて前記通路出口縁から出すことにより、前記通路の内面である隣接する２つの布面がそれぞれ外に反転され、
そして、前記第１結合辺及び前記第２結合辺と前記支持スタンドとを接続状態にすると、少なくとも２つの前記布体が前記支持スタンドに平らに設置されることを特徴とする、反転式布体構造。
【請求項２】
前記第１結合辺及び前記第２結合辺は、それぞれ支持棒を有することを特徴とする、請求項１に記載の前記反転式布体構造。
【請求項３】
前記通路入口縁及び前記通路出口縁は、直線ではないことを特徴とする、請求項１に記載の反転式布体構造。
【考案の詳細な説明】
【技術分野】
【０００１】
本考案は、反転式布体構造に関し、特に、広告又は撮影用途に用いられる反転式布体構造に関する。
【背景技術】
【０００２】
従来の広告工具としては、広告ボード又は広告ポスターを支持スタンドに掛けて適切な位置に置くことにより、広告の効果を達成することができる。広告面として、１つの広告ボード又は広告ポスターは、表裏両面の２つの面しか提供できない。そのため、広告が２つ以上の面を必要する場合には、複数の広告ボード又は広告ポスターを使用しなければならない。一般的に、このような複数の広告ボード又は広告ポスターを使用する場合には、その中の１つの面のみが選択されて支持スタンドに掛けて使用されることで、選択されない他の広告ボード又は広告ポスターが放置されて、紛失することが多い。
【０００３】
従来の撮影道具の１つである撮影用レフ板は、その使用方法及び収納方法が成熟してきた。撮影用レフ板は、内層と外層とを有し、内層の布体の縁に弾力のある鋼線が設置され、外層の布体の縁にファスナーが設置される。内層の布体を使用しようとする場合には、外層の布体を外し、外層の布体を使用しようとする場合には、使用しようとする面が外に向かうように外層の布体を内層の布体に掛けて、ファスナーを締めて、内層の鋼線によって撮影用レフ板を支持して使用する。収納時に、レフ板全体を「８」の形状に折って小さい円形にする。このような設計の欠点としては、レフ板の収納形状が円形で、レフ板の支持スタンドが長棒状であるため、収納時に無駄にスペースを取る場合がある。また、内外層の布体が別体であるため、紛失の恐れがある。
【考案の概要】
【考案が解決しようとする課題】
【０００４】
従来の広告ボード、広告ポスター、又は撮影レフ板の収納問題及び紛失リスクを解決するために、本考案は、少なくとも２つの布体を有する反転式布体構造を提供する。その中の１組の対辺をそれぞれ第１結合辺及び第２結合辺になるように結合することで、隣接する２つの前記布体の間にそれぞれ通路が形成され、第１結合辺及び第２結合辺を通路に通り抜けて反転させることにより、使用しようとする布面を外に反転して使用することができる。
【課題を解決するための手段】
【０００５】
本考案の反転式布体構造は、支持スタンドに設置され、少なくとも２つの布体を有する反転式布体構造であって、各前記布体は、それぞれ、同じ大きさの四辺形であり、２つの布面を有し、かつ互いに重なり合っており、その中の１組の対辺をそれぞれ第１結合辺及び第２結合辺になるように結合することで、隣接する２つの前記布体の間にそれぞれ通路が形成され、他の１組の対辺がそれぞれ通路入口縁及び通路出口縁に定義され、また、少なくとも２つの前記布体と前記支持スタンドとを分離状態にし、前記第１結合辺及び前記第２結合辺を前記通路入口縁に向かって反転させ、同一の前記通路に通り抜けて前記通路出口縁から出すことにより、前記通路の内面である隣接する２つの布面がそれぞれ外に反転され、そして、少なくとも２つの前記布体と前記支持スタンドとを接続状態にして、少なくとも２つの前記布体が前記支持スタンドに平らに設置される。
【０００６】
好ましくは、前記第１結合辺及び前記第２結合辺は、それぞれ支持棒を有する。
【０００７】
好ましくは、前記入口縁及び前記出口縁は、直線ではない。
【考案の効果】
【０００８】
本考案の効果としては、各前記布体を結合し、反転という方法で外層にある布面を変更することにより、布体構造をそのまま支持スタンドに接続することができ、従来の筐体が必要なく、収納体積を効果的に縮小し、紛失の問題を解決するができる。
【図面の簡単な説明】
【０００９】
【図１Ａ】図１Ａは、本考案の実施例１に係る反転式布体構造を示す模式図１である。
【図１Ｂ】図１Ｂは、本考案の実施例１に係る布体を示す模式図２である。
【図２Ａ】図２Ａは、本考案の実施例１に係る布体を示す分解模式図１。
【図２Ｂ】図２Ｂは、本考案の実施例１に係る布体を示す分解模式図２である。
【図３Ａ】図３Ａは、本考案の実施例１に係る布体の反転前の状態を示す模式図である。
【図３Ｂ】図３Ｂは、本考案の実施例１に係る布体が第１通路に向かって反転される途中の状態を示す模式図である。
【図３Ｃ】図３Ｃは、本考案の実施例１に係る布体が第１通路に向かって反転された後の状態を示す模式図である。
【図４】本考案の実施例１に係る布体の収納状態を示す模式図である。
【図５】本考案の実施例２に係る布体を示す分解模式図である。
【図６】本考案の実施例２に係る布体の反転前の状態を示す模式図である。
【図７Ａ】図７Ａは、本考案の実施例２に係る布体が第１通路に向かって反転される途中の状態を示す模式図である。
【図７Ｂ】図７Ｂは、本考案の実施例２に係る布体が第１通路に向かって反転された後の状態を示す模式図である。
【図８Ａ】図８Ａは、本考案の実施例２に係る布体が第２通路に向かって反転される前の状態を示す模式図である。
【図８Ｂ】図８Ｂは、本考案の実施例２に係る布体が第２通路に向かって反転された後の状態を示す模式図である。
【図９】本考案の実施例３に係る布体を示す模式図である。
【図１０Ａ】図１０Ａは、本考案の実施例４に係る布体の組立状態を示す模式図である。
【図１０Ｂ】図１０Ｂは、本考案の実施例４に係る布体の収納状態を示す模式図である。
【考案を実施するための形態】
【００１０】
以下、図１〜図１０を参照しながら本考案について説明する。ただし、以下の説明は、本考案の実施例の１つに過ぎず、本考案を限定するものではない。
【００１１】
図１Ａ〜図４に示すように、本考案の実施例１の反転式布体１構造は、図１Ａ及び図１Ｂに示すように、支持スタンド２に設置される。図２Ａに示すように、反転式布体１構造は、第１布体Ｃ１と第２布体Ｃ２の２つの布体を含む。前記第１布体Ｃ１と前記第２布体Ｃ２は、それぞれ、同じ大きさの四辺形であり、互いに重なり合っている。図２Ｂに示すように、前記第１布体Ｃ１は、第１布面Ｃ１１と第２布面Ｃ１２とを有し、前記第２布体Ｃ２は、第３布面Ｃ２１と第４布面Ｃ２２とを有する。図３Ａに示すように、前記第２布面Ｃ１２は前記第３布面Ｃ２１と隣接し、前記第１布体Ｃ１と前記第２布体Ｃ２の中の１組の対辺をそれぞれ第１結合辺Ｌ１及び第２結合辺Ｌ２になるように結合することによって、隣接する前記第１布体Ｃ１と前記第２布体Ｃ２との間に第１通路Ｔ１が形成される。他の１組の対辺がそれぞれ通路入口縁Ｌ３及び通路出口縁Ｌ４に定義される。
【００１２】
図３Ａ及び図３Ｂに示すように、前記第１結合辺Ｌ１及び前記第２結合辺Ｌ２と前記支持スタンド２とを分離状態にすることにより、前記第１結合辺Ｌ１及び前記第２結合辺Ｌ２が前記通路入口縁Ｌ３に向かって反転され、前記第１通路Ｔ１に通り抜けて前記通路出口縁Ｌ４から出す。
【００１３】
図３Ｃに示すように、前記第１通路Ｔ１の内面である隣接する前記第２布面Ｃ１２及び前記第３布面Ｃ２１がそれぞれ外に反転される。図１Ａ及び図１Ｂに示すように、前記第１結合辺Ｌ１及び前記第２結合辺Ｌ２と前記支持スタンド２とを接続状態にすることにより、前記第１布体Ｃ１及び前記第２布体Ｃ２が前記支持スタンド２に平らに設置される。図３Ｃに示すように、前記第２布面Ｃ１２及び前記第３布体Ｃ２１は外側になり、前記第１布面Ｃ１１及び前記第４布面Ｃ２２は内に反転されて隣接する。
【００１４】
図４に示すように、前記反転式布体１は、長棒状に巻かれることにより、前記支持スタンド２と共に収納されることができる。前記第１結合辺Ｌ１の周縁がより弾力性を有する材質であることにより、前記第１結合部Ｌ１及び前記第２結合部Ｌ２と前記支持スタンド２とが分離状態にある時に、反転操作がよりスムーズになり、また、前記第１結合部Ｌ１及び前記第２結合部Ｌ２と前記支持スタンド２とが結合状態にある時に、前記第１布体Ｃ１及び前記第２布体Ｃ２を前記支持スタンド２によって平らに設置することができる。なお、前記第１布体Ｃ１及び前記第２布体Ｃ２がいずれもより弾力性を有する材質であれば、同じ効果を達成することができる。
【００１５】
図５〜図８Ｂは、本考案の実施例２を示す。
【００１６】
図５に示すように、本考案の実施例２では、前記第１布体Ｃ１、前記第２布体Ｃ２、及び第３布体Ｃ３の３つの布体を含む。前記第１布体Ｃ１、前記第２布体Ｃ２、及び前記第３布体Ｃ３は、それぞれ、同じ大きさの四辺形であり、互いに重なり合っている。
【００１７】
図６に示すように、前記第１布体Ｃ１は、前記第１布面Ｃ１１と前記第２布面Ｃ１２とを有し、前記第２布体Ｃ２は、前記第３布面Ｃ２１と前記第４布面Ｃ２２とを有し、前記第３布体Ｃ３は、第５布面Ｃ３１と第６布面Ｃ３２とを有する。前記第２布面Ｃ１２は、前記第３布面Ｃ２１と隣接しており、前記第４布面Ｃ２２は、前記第５布面Ｃ３１と隣接している。前記第１布体Ｃ１、前記第２布体Ｃ２、及び前記第３布体Ｃ３の中の１組の対辺を、それぞれ第１結合辺Ｌ１及び第２結合辺Ｌ２に結合することにより、隣接する２つの前記第１布体Ｃ１と前記第２布体Ｃ２との間に第１通路Ｔ１が形成され、かつ前記第２布体Ｃ２と前記第３布体Ｃ３との間に第２通路Ｔ２が形成される。他の１組の対辺がそれぞれ前記通路入口縁Ｌ３及び前記通路出口縁Ｌ４に定義される。
【００１８】
図７Ａに示すように、前記第１結合部Ｌ１及び前記第２結合部Ｌ２と前記支持スタンド２とを分離状態にすることにより、前記第１結合辺Ｌ１及び前記第２結合辺Ｌ２が前記通路入口縁Ｌ３に向かって反転され、前記第１通路Ｔ１に通り抜けて前記通路出口縁Ｌ４から出す。
【００１９】
図７Ｂに示すように、前記第１通路Ｔ１の内面である隣接する前記第２布面Ｃ１２及び前記第３布面Ｃ２１がそれぞれ外に反転され、又は、図８Ａ及び図８Ｂに示すように、前記第１結合辺Ｌ１及び前記第２結合辺Ｌ２が前記通路入口縁Ｌ３に向かって反転され、前記第２通路Ｔ２に通り抜けて前記通路出口縁から出す。
【００２０】
図８Ｂに示すように、前記第２通路Ｔ２の内面である隣接する前記第４布面Ｃ２２及び前記第５布面Ｃ３１がそれぞれ外に反転される。本考案は、反転という方法により、使用しようとする布面を外側にさせて使用することができ、また、煩雑な収納という問題を解決することもできる。
【００２１】
図９及び図４は、本考案の実施例３を示す。
【００２２】
図９に示すように、前記第１結合辺Ｌ１及び前記第２結合辺Ｌ２には、それぞれ支持棒３が設けられる。前記第１結合辺Ｌ１及び前記第２結合辺Ｌ２と前記支持スタンド２とが接続状態にある時に、前記支持棒３は接続サポートとして使用され、支持力を向上させる。また、前記第１結合部Ｌ１及び前記第２結合部Ｌ２と前記支持スタンド２とが分離状態にある時に、図４に示すように、前記支持棒３は収納用中心軸として使用され、各布体を同時に長棒状に巻くことにより、支持スタンドと共に収納でき、持ち運びやすくなる。
【００２３】
図１０Ａ及び図１０Ｂは、本考案の実施例４を示す。
【００２４】
図１０Ａに示すように、前記第１結合辺Ｌ１及び前記第２結合辺Ｌ２の両端の適切な箇所には、それぞれ、第１開孔Ｌ１１、第２開孔Ｌ１２、第３開孔Ｌ２１、及び第４開孔Ｌ２２を有する。この４つの開孔は、Ｘ型支持スタンド２１と結合することができる。図１０Ｂに示すように、前記Ｘ型支持スタンド２１及び前記反転式布体１は、長棒状に収納されることができる。
【００２５】
好ましくは、本考案の実施例５では、前記入口縁及び前記出口縁は直線ではなく、使用ニーズに応じて外に延伸し、又は内へ凹むことで、前記第１布体Ｃ１及び前記第２布体Ｃ２を他の形状にさせることができる。
【００２６】
本考案は、上記の実施例の記載に限定されるものではなく、考案の要旨及び実用新案登録請求の範囲から逸脱しない範囲で種々の変更を加えて実施することができる。
【符号の説明】
【００２７】
１  反転式布体
２  支持スタンド
２１  Ｘ型支持スタンド
３  支持棒
Ｃ１  第１布体
Ｃ１１  第１布面
Ｃ１２  第２布面
Ｃ２  第２布体
Ｃ２１  第３布面
Ｃ２２  第４布面
Ｃ３  第３布体
Ｃ３１  第５布面
Ｃ３２  第６布面
Ｌ１  第１結合辺
Ｌ１１  第１開孔
Ｌ１２  第２開孔
Ｌ２  第２結合辺
Ｌ２１  第３開孔
Ｌ２２  第４開孔
Ｌ３  入口縁
Ｌ４  出口縁
Ｔ１  第１通路
Ｔ２  第２通路
【図１Ａ】
0003230439.tif 000003
【図１Ｂ】
0003230439.tif 000004
【図２Ａ】
0003230439.tif 000005
【図２Ｂ】
0003230439.tif 000006
【図３Ａ】
0003230439.tif 000007
【図３Ｂ】
0003230439.tif 000008
【図３Ｃ】
0003230439.tif 000009
【図４】
0003230439.tif 000010
【図５】
0003230439.tif 000011
【図６】
0003230439.tif 000012
【図７Ａ】
0003230439.tif 000013
【図７Ｂ】
0003230439.tif 000014
【図８Ａ】
0003230439.tif 000015
【図８Ｂ】
0003230439.tif 000016
【図９】
0003230439.tif 000017
【図１０Ａ】
0003230439.tif 000018
【図１０Ｂ】
0003230439.tif 000019
【手続補正書】
【提出日】令和2年11月18日(2020.11.18)
【手続補正１】
【補正対象書類名】図面
【補正対象項目名】全図
【補正方法】変更
【補正の内容】
【図１Ａ】
0003230439.tif 000020
【図１Ｂ】
0003230439.tif 000021
【図２Ａ】
0003230439.tif 000022
【図２Ｂ】
0003230439.tif 000023
【図３Ａ】
0003230439.tif 000024
【図３Ｂ】
0003230439.tif 000025
【図３Ｃ】
0003230439.tif 000026
【図４】
0003230439.tif 000027
【図５】
0003230439.tif 000028
【図６】
0003230439.tif 000029
【図７Ａ】
0003230439.tif 000030
【図７Ｂ】
0003230439.tif 000031
【図８Ａ】
0003230439.tif 000032
【図８Ｂ】
0003230439.tif 000033
【図９】
0003230439.tif 000034
【図１０Ａ】
0003230439.tif 000035
【図１０Ｂ】
0003230439.tif 000036